(57)【要約】【課題】  液晶表示素子と、光学シート体とを可及的近接して配置することができ、かつ簡単な構成で、液晶表示素子の一表面側に配置される光学シート体の位置ずれを防止することができる保持装置を提供する。を提供する。【解決手段】  第１および第２位置決め凹所２１，５６における光学シート体４の一部が勘合される第１および第２嵌合凹所３６，７８の深さを、液晶表示素子２を保持する支持領域よりも、その外側の領域の方が大きく形成することによって、光学シート体４の反りなどによって、この光学シート体４の一部が、嵌合される第１および第２嵌合凹所３６，７８から外れてしまうことを低減することができる。さらに、支持領域よりも外側に前記凹所の深い領域を形成するので、液晶表示素子２の厚み方向の一方表面は、第１〜第４支持面２６，５７，９３，１０２で支持され、液晶表示素子２と光学シート体４とを可及的近させることができる。【選択図】      図１
2005292729.tif 000002
【特許請求の範囲】
【請求項１】
液晶表示素子を保持する保持装置であって、
液晶表示素子の、厚み方向の一方表面の周縁部を支持する支持面を有する支持領域と、
支持領域の外側に連なり、支持面よりも前記厚み方向の他方に突出する部分を有する外側領域とを含み、
支持領域および外側領域にわたって、液晶表示素子の厚み方向の一表面側に配置される光学シート体の一部を勘合する位置決め凹所が形成され、該位置決め凹所の深さは、外側領域の方が支持領域よりも大きく選ばれることを特徴とする保持装置。
【請求項２】
前記外側領域は、支持面に連なり、位置決め凹所の周囲で支持面から外側に向かうに連れて支持面から離反するように傾斜し、光学シート体を固定するためのテープ体が貼り付けられるテープ貼り付け面を有することを特徴とする請求項１記載の保持装置。
【請求項３】
前記支持領域における凹所の深さは、光学シート体の厚みと略等しく選ばれることを特徴とする請求項１または２記載の保持装置。
【請求項４】
前記位置決め凹所は、支持される液晶表示素子の長手方向の一端部寄りで、かつ短手方向の一端部寄りの第１領域と、支持される液晶表示素子の長手方向の他端部寄りで、かつ短手方向の他端部寄りの第２領域とに少なくとも形成されることを特徴とする請求項１〜３のいずれか１つに記載の保持装置。
【請求項５】
支持領域の外側に連なり、前記厚み方向に垂直な所定の方向から液晶表示素子を支持する壁部を有することを特徴とする請求項１〜４のいずれか１つに記載の保持装置。
【発明の詳細な説明】
【技術分野】
【０００１】
本発明は、液晶表示素子を保持する保持装置に関する。
【背景技術】
【０００２】
液晶表示装置は、液晶表示素子、拡散シートおよびプリズムシートなどの光学シート、および導光板などを含み、これらは保持装置によって保持されている。光学シートは、導光板と液晶表示素子との間に配置されている。
【０００３】
第１の従来の技術では、液晶表示装置のフレームによって、導光板の蛍光ランプ側への位置ずれを防止している（たとえば特許文献１参照）。
【０００４】
第２の従来の技術では、周縁部から突出する爪部を有する光学シートを、液晶表示装置のフレームの凹所に嵌合させて、フレームの凹所に嵌合された爪部を、保持板で覆うことによって光学シートの位置ずれを防止している。前記爪部には孔が形成され、フレームの凹所には前記孔に挿通される突出部が形成されている。（たとえば特許文献２参照）。
【０００５】
第３の従来の技術では、周縁部から突出するつばを有する光学シートを、フレームの凹所に嵌合させて、光学シートの位置ずれを防止している（たとえば特許文献３参照）光学シートは、凹所に両面テープで固定される。
【０００６】
第４の従来の技術では、光学シートを、導光板と液晶パネルとの間に形成されるフレームの一部に、導光板側から突き当てることによって、光学シートの位置ずれを防止している（たとえば特許文献４参照）。
【０００７】
【特許文献１】特開２０００−３３１５２１号公報
【特許文献２】特開２００１−９１９４７号公報
【特許文献３】特開２０００−３０５１９号公報
【特許文献２】特開２００３−２２２８６２号公報
【発明の開示】
【発明が解決しようとする課題】
【０００８】
第１の従来の技術では、導光板の位置ずれを防止することができるが、液晶表示素子との間に設けられる光学シートを位置決めすることができない。
【０００９】
第２の従来の技術では、光学シートに孔を形成したり、保持板が必要となったりするので、製造工程数が多くなり、生産性が低下するという問題がある。
【００１０】
第３の従来の技術では、たとえば光学シート体が複数のシート体を含む場合、各シート体をそれぞれ両面テープによって固定すると、光学シート体の間に両面テープが介在されるので、複数の光学シート体が密着せず、不具合が生じるおそれがあり、また各シート体に両面テープを貼り付けるため製造工程数が多くなり生産性が低下する。したがって光学シート体が複数のシート体を含む場合であっても、各光学シート体間に両面テープを介在させることなく、位置ずれを防止することができる保持装置が臨まれている。
【００１１】
第４の従来の技術では、光学シートのフレームの一部を挟んで光学シートと液晶表示素子とが重なるので、光学シートと液晶表示素子とを近接させにくいという問題がある。液晶表示素子と光学シート体が離反すると、モアレなどの原因となるので、液晶表示素子と光学シートとをできるだけ近接して配置することができる保持装置が臨まれている。また第４の従来の技術では、光学シートの面方向の位置ずれを防止することができないという問題がある。
【００１２】
本発明の目的は、液晶表示素子と、光学シート体とを可及的近接して配置することができ、かつ簡単な構成で、液晶表示素子の一表面側に配置される光学シート体の位置ずれを防止することができる保持装置を提供することである。
【課題を解決するための手段】
【００１３】
本発明は、液晶表示素子を保持する保持装置であって、
液晶表示素子の、厚み方向の一方表面の周縁部を支持する支持面を有する支持領域と、
支持領域の外側に連なり、支持面よりも前記厚み方向の他方に突出する部分を有する外側領域とを含み、
支持領域および外側領域にわたって、液晶表示素子の厚み方向の一表面側に配置される光学シート体の一部を勘合する位置決め凹所が形成され、該位置決め凹所の深さは、外側領域の方が支持領域よりも大きく選ばれることを特徴とする保持装置である。
【００１４】
また本発明は、前記外側領域は、支持面に連なり、位置決め凹所の周囲で支持面から外側に向かうに連れて支持面から離反するように傾斜し、光学シート体を固定するためのテープ体が貼り付けられるテープ貼り付け面を有することを特徴とする。
【００１５】
また本発明は、前記支持領域における凹所の深さは、光学シート体の厚みと略等しく選ばれることを特徴とする。
【００１６】
また本発明は、前記位置決め凹所は、支持される液晶表示素子の長手方向の一端部寄りで、かつ短手方向の一端部寄りの第１領域と、支持される液晶表示素子の長手方向の他端部寄りで、かつ短手方向の他端部寄りの第２領域とに少なくとも形成されることを特徴とする。
【００１７】
また本発明は、支持領域の外側に連なり、前記厚み方向に垂直な所定の方向から液晶表示素子を支持する壁部を有することを特徴とする。
【発明の効果】
【００１８】
本発明によれば、液晶表示装置を製造する工程において、光学シート体を配置するときに、光学シート体の一部を前記位置決め凹所に嵌合させることによって、光学シート体を位置決めすることができる。外側領域における位置決め凹所の深さが、支持領域よりも大きいので、光学シートの反りなどによって、光学シート体の一部が、この光学シート体の一部が嵌合される位置決め凹所から外れてしまい、光学シート体の位置ずれが発生する確率を低減することができる。これによって液晶表示装置を製造するときの、光学シート体をテープ体によって固定する作業工程において、位置決めされているシート体が不所望に、位置ずれしてしまうことが防止され、歩留まりが向上するとともに、生産性を向上させることができる。また液晶表示装置が製造された後に、不所望な衝撃が加えられることによって、光学シート体の位置ずれが発生してしまうことを防止することができる。
【００１９】
さらに、支持面よりも厚み方向の一方に突出する部分を有する外周領域は、支持領域よりも外側であるので、液晶表示素子の前記一方表面が、この突出する部分に当接することがない。したがって外周領域で位置決め凹所を深く形成して、位置ずれを防止する構成としても、液晶表示素子の厚み方向の一方表面は、支持領域で支持されるので、前記一表面側に配置される光学シート体に可及的近させることができる。
【００２０】
光学シート体は、たとえば拡散シート体およびプリズムシート体などの複数のシート体を含んでいてもよい。光学シート体が複数のシート体を含んでいても、各シート体の一部を位置決め凹所に嵌合させて、位置決めすることができる。また位置決め凹所は、１つであってもよく、複数あってもよい。位置決め凹所を複数形成すると、位置ずれを防止する効果を向上させることができる。
【００２１】
また本発明によれば、テープ貼り付け面は、支持面に連なり、位置決め凹所の周囲で支持面から外側に向かうに連れて支持面から離反するように傾斜するので、テープ貼り付け面にテープ体を密着して貼り付けることができる。たとえば光学シート体との隙間から漏れる光を遮光するために、遮光性を有するテープ体を貼り付ける場合であっても、テープ体を密着して貼り付けることができるので、テープ体と傾斜面との隙間が形成されて、光が漏れてしまうことが防止される。
【００２２】
また本発明によれば、支持領域における凹所の深さを、光学シート体の厚みと略等しく選ぶことによって、支持面に支持される液晶表示素子の厚み方向の一方表面を、光学シート体に可及的近接して配置することができる。液晶表示素子と光学シート体との距離が離反すると、熱膨張などによって光学シート体が撓んで、液晶表示素子側に浮き上がってしまい、たとえばモアレが発生して表示特性が劣化するが、光学シート体に可及的近接して配置することで、光学シート体が浮き上がりを防止することができるので、このような表示特性の劣化を防止することができる。
【００２３】
また本発明によれば、液晶表示素子の対角線方向に離反した第１および第２領域に、位置決め凹所が形成される。位置決め凹所を、このように対角線方向に離反した位置に形成することによって、２つの位置決め凹所が相互に可及的離反して形成される。これによって光学シート体の厚み方向に平行な軸線まわりの捩じれによって、位置決め凹所に嵌合される光学シート体の一部にかかる負荷を可及的低減することができるので、位置決め凹所から光学シート体の一部が外れてしまうことが防止され、光学シート体の位置ずれを効率よく防止することができる。
【００２４】
また本発明によれば、壁部によって液晶表示素子を厚み方向に垂直な所定の方向から支持することによって、液晶表示素子の厚み方向に垂直な方向への変位を規制することができ、光学シート体との相対的な位置関係を保持することができる。
【発明を実施するための最良の形態】
【００２５】
図１は、本発明の実施の一形態の保持装置であるホルダ１を示す斜視図であり、図２はホルダ１の正面図であり、図３はホルダ１の背面図である。ホルダ１は、バックライトを有する液晶表示装置に用いられ、略矩形板形状の液晶表示素子２を保持するとともに、導光板３，光学シート体４および反射シート体５を一体的に保持する。光学シート体４は、複数のシート体を含む。図２に示す正面図において、紙面に垂直な方向手前が、保持する液晶表示素子２が所定の内容を表示する表示面側となり、また図２に示す正面図において、紙面に垂直な方向奥側が、導光板３が保持される背後側となる。
【００２６】
ホルダ１は、枠体６、第１〜第４係合片７〜１０、第１〜第３位置決め突部１１〜１３、および位置決め枠体２０を有する。
【００２７】
枠体６は、長辺側第１枠体部分１４、長辺側第２枠体部分１５、短辺側第１枠体部分１６および短辺側第２枠体部分１７を有し、これらが四角形状に枠組みされて形成される。長辺側第１枠体部分１４、長辺側第２枠体部分１５、短辺側第１枠体部分１６および短辺側第２枠体部分１７は、大略的に、それぞれ外周壁部１８Ａ，８Ｂ，１８Ｃ，１８Ｄと、各外周壁部１８Ａ，８Ｂ，１８Ｃ，１８Ｄから内周面側に突出する内側突出部１９Ａ，１９Ｂ，１９Ｃ，１９Ｄとを有する。
【００２８】
長辺側第１枠体部分１４および長辺側第２枠体部分１５の長手方向を第１方向Ｘとし、短辺側第１枠体部分１６および短辺側第２枠体部分１７の長手方向を第２方向Ｙとし、第１方向Ｘおよび第２方向Ｙに垂直な方向を第３方向Ｚとする。短辺側第２枠体部分１７から短辺側第１枠体部分１６に向かう向きを第１方向一方Ｘ１とし、短辺側第１枠体部分１６から短辺側第２枠体部分１７に向かう向きを第１方向他方Ｘ２とする。長辺側第２枠体部分１５から長辺側第１枠体部分１４に向かう向きを第２方向一方Ｙ１とし、長辺側第１枠体部分１４から長辺側第２枠体部分１５に向かう向きを第２方向他方Ｙ２とする。また背後側から表示面側に向かう向きを第３方向一方Ｚ１とし、表示面側から背後側に向かう向きを第３方向他方Ｚ２とする。ホルダ１を構成する各部の各方向における一方の端を一端とし、他方の端を他端とする。
【００２９】
長辺側第１枠体部分１４は、その第１方向Ｘの一端部１４ｘａに、第１位置決め凹所２１が形成される。またこの長辺側第１枠体部分１４の第１方向の一端部１４ｘａ寄りには、第１位置決め凹所２１に近接して、第１位置決め凹所２１の第１方向他方Ｘ２寄りに、図２の紙面に垂直な方向奥側である背後側、すなわち第３方向他方Ｚ２に突出する第１係合片７が一体的に形成される。第１係合片７の第１方向他方Ｘ２寄りに第１凹所２２が形成される。またこの長辺側第１枠体部分１４の第１方向Ｘの他端部１４ｘｂには、第３方向他方Ｚ２に突出する第２係合片８が形成される。また長辺側第１枠体部分１４の前記第１係合片７に近接して、第２凹所２３が形成され、第２係合片８に近接して第３凹所２４が形成される。第１位置決め凹所２１および第１凹所２２は、長辺側第１枠体部分１４の表示面側に形成され、第２および第３凹所２４は、背後側に形成される。
【００３０】
図４は、第１位置決め凹所２１の付近を拡大して示す斜視図であり、図５は図４の切断面線Ｖ−Ｖから見た断面図であり、図６は図４の切断面線ＶＩ−ＶＩから見た断面図であり、図７は、第１位置決め凹所２１の近傍を拡大して示す平面図である。長辺側第１枠体部分１４は、第１突出壁面２５と、第１支持面２６と、第１テープ貼り付け面２７と、第１〜第４内側壁面３１〜３４と、第１位置決め底面３５と、第１〜第７位置決め側面４１〜４７とを有する。
【００３１】
第１突出壁面２５は、平面であり、第２方向Ｙに垂直であって長辺側第２枠体部分１５に対向する。第１突出壁面２５は、ホルダ１に導光板３を保持させたときに、保持される導光板３の側面に対向する。
【００３２】
第１支持面２６は、平面であり、第１突出壁面２５の第３方向Ｚの一端から第２方向一方Ｙ１に連なる。第１支持面２６は、第３方向Ｚに垂直であって、液晶表示素子２の厚み方向の他表面２Ｂの周縁部２８を支持する。
【００３３】
第１テープ貼り付け面２７は、平面であり、第１支持面２６の外側、つまり第２方向一方Ｙ１で第１支持面２６に連なり、第１支持面２６から外側に向かうに連れて、言い換えれば第２方向一方他方Ｙ１に向かうに連れて、第１支持面２６から離反するように、言い換えれば第３方向一方Ｚ１に傾斜する。第１テープ貼り付け面２７は、第１支持面２６に対して、所定の角度θ１で傾斜する。
【００３４】
第１内側壁面３１は、長辺側第１枠体部分１４の第１方向Ｘの両端部間の中間部で、第１支持面２６の第２方向Ｙの一端に連なる。第１内側壁面３１は、平面である。第１内側壁面３１は、第２方向Ｙに垂直であって、第１テープ貼り付け面２７の第２方向他方Ｙ２の端部よりもＹ方向他方Ｙ２に突出する。ホルダ１に液晶表示素子２を保持させたときに、液晶表示素子２の側面が、第１突出壁面２５に当接することによって、液晶表示素子２の第２方向一方Ｙ１への移動が規制される。長辺側第１枠体部分１４の外周壁部１８Ａの、第１方向Ｘの両端部は、第１突出壁面２５よりも第２方向一方Ｙ１に退避している。これによって、液晶表示素子２を保持したときに、液晶表示素子２の角部ではなく、側部の中間部を側方から第１内側壁面３１に当接させて支持することができるので、前記角部の欠けを防止することができる。また平面を当接させて液晶表示素子２を保持することによって、液晶表示素子２を安定して保持することができる。
【００３５】
第２内側壁面３２は、平面であり、第２方向Ｙに垂直であって、第１テープ貼り付け面２７の第２方向Ｙの一端に連なり、長辺側第２枠体部分１５に対向する。第２内側壁面３２は、平面である。第２内側壁面３２は、第１内側壁面３１よりも第２方向一方Ｙ１に退避する。第３内側壁面３３は、平面であり、第１方向Ｘに垂直であって、第１テープ貼り付け面２７の第１方向Ｘの一端および第２内側壁面３２の第１方向Ｘの一端に連なる。第４内側壁面３４は、平面であり、第１方向Ｘに垂直であって、第１テープ貼り付け面２７の第１方向Ｘの他端および第２内側壁面３２の第１方向Ｘの他端に連なる。第３内側壁面３３および第４内側壁面３４は、互いに対向する。
【００３６】
第１位置決め底面３５は、平面であって、第１支持面２６よりも第３方向他方Ｚ２に退避し、第３方向Ｚに垂直である。第１位置決め底面３５は、第１突出壁面２５の第３方向Ｚの一端から、第２方向一方Ｙ１に連なる。第１位置決め底面３５は、保持される導光板３の第３方向Ｚの一表面と略同一仮想平面に含まれる。本実施の形態において、略同一仮想平面は、同一仮想平面を含む。
【００３７】
第１位置決め側面４１は、平面であって、第１位置決め底面３５の第２方向Ｙの一端から、第３方向一方Ｚ１に連なる。第１位置決め側面４１は、第２方向Ｙに垂直である。第１位置決め側面４１の第３方向Ｚの一端は、第１テープ張り付け面２７に連なる。第１位置決め側面４１に、光学シート体４の一部が当接することによって、光学シート体４の第２方向一方Ｙ１への移動が規制される。
【００３８】
第２位置決め側面４２は、平面であって、第１位置決め底面３５の第１方向Ｘの一端から、第３方向一方Ｚ１に連なる。第２位置決め側面４２は、第１方向Ｘに垂直である。第２位置決め側面４２の第３方向Ｚの一端は、第１テープ貼り付け面２７に連なる。
【００３９】
第３位置決め側面４３は、平面であって、第１位置決め底面３５の第１方向Ｘの一端から、第３方向一方Ｚ１に連なる。第２位置決め側面４２は、第１方向Ｘに垂直である。第３位置決め側面４３の第３方向Ｚの一端は、第１支持面２６に連なる。第３位置決め側面４３と、第２位置決め側面４２とは、略同一仮想平面に含まれる。第３位置決め側面４３は、第２位置決め側面４２の第２方向Ｙの他端に連なる。第３位置決め側面４３は、外方、すなわち第２方向一方Ｙ１に向かうに連れて、第３方向Ｚの寸法が大きくなる。第２および第３位置決め側面４３に、光学シート体４の一部が当接することによって、光学シート体４の第１方向一方Ｘ１への移動が規制される。
【００４０】
第４位置決め側面４４は、第３位置決め側面４３に連なり、第３位置決め側面４３の第２方向Ｙの他端から第２方向他方Ｙ２に向かうに連れて、第１方向一方Ｘ１に屈曲する外方に凸の曲面である。第４位置決め側面４４は、第１位置決め底面３５の第１方向Ｘの一端から第３方向一方Ｚ１に連なる。第４位置決め側面４４の第３方向Ｚの一端は、第１支持面２６に連なる。また第４位置決め側面４４の第２方向Ｙの他端は、第１突出壁面２５に連なる。第４位置決め側面４４の曲面は、所定の曲率Ｒ１を有する。前記曲率Ｒ１は、たとえばＲ０．２ミリメートル（ｍｍ）〜Ｒ１ミリメートル（ｍｍ）となるように選ばれる。Ｒ０．２ｍｍとは、曲率半径が０．２ｍｍであることを示し、Ｒ１ｍｍとは、曲率半径が１ｍｍであることを示す。以下、同様に曲率半径を示す。
【００４１】
第５位置決め側面４５は、平面であって、第１位置決め底面３５の第１方向Ｘの他端から、第３方向一方Ｚ１に連なる。第５位置決め側面４５は、第１方向Ｘに垂直である。第５位置決め側面４５の第３方向Ｚの一端は、第１テープ貼り付け面２７に連なる。第５位置決め側面４５は、外方、すなわち第２方向一方Ｙ１に向かうに連れて、第３方向Ｚの寸法が大きくなる。
【００４２】
第６位置決め側面４６は、平面であって、第１位置決め底面３５の第１方向Ｘの他端から、第３方向一方Ｚ１に連なる。第６位置決め側面４６は、第１方向Ｘに垂直である。第６位置決め側面４６の第３方向Ｚの一端は、第１支持面２６に連なる。第５位置決め側面４５と、第６位置決め側面４６とは、同一仮想平面に含まれる。第６位置決め側面４６は、第５位置決め側面４５の第２方向Ｙの他端に連なる。第５および第６位置決め側面４６に、光学シート体４の一部が当接することによって、光学シート体４の第１方向他方Ｘ２への移動が規制される。
【００４３】
第７位置決め側面４７は、第６位置決め側面４６に連なり、第６位置決め側面４６の第２方向Ｙの一端から第２方向他方Ｙ２に向かうに連れて、第１方向他方Ｘ２に屈曲する外方に凸の曲面である。第１位置決め底面３５の第１方向Ｘの他端から、第３方向一方Ｚ１に連なる。第７位置決め側面４７の第３方向Ｚの一端は、第１支持面２６に連なる。また第７位置決め側面４７の第２方向Ｙの他端は、第１突出壁面２５に連なる。また第４位置決め側面４４の第２方向Ｙの他端は、第１突出壁面２５に連なる。第７位置決め側面４７の曲面は、所定の曲率Ｒ２を有する。前記曲率Ｒ２は、たとえばＲ０．２ｍｍ〜Ｒ１ｍｍとなるように選ばれる。
【００４４】
前述したように第４および第７位置決め側面４４，４７を形成することによって、光学シート体４の一部を第１位置決め凹所に勘合するときに、光学シート体４の一部を第４および第７位置決め側面４４，４７に沿って嵌合させることができるので、光学シート体４の一部を第１位置決め凹所２１に容易に導くことができ、これによって液晶表示装置を組み立てるときの作業性が向上される。
【００４５】
前述した前記第２〜第４内側壁面３２〜３４、第１テープ貼り付け面２７、第１位置決め底面３５、第１〜第７位置決め側面４１〜４７によって、第１位置決め凹所２１が規定される。また第１位置決め底面３５、第１〜第７位置決め側面４１〜４７によって、光学シート体４の一部が嵌合される第１嵌合凹所３６が規定される。第１嵌合凹所３６のうち、第１位置決め底面３５、第１，第２および第５位置決め側面４１，４２，４５によって規定される領域では、第２方向他方Ｙ２に向かうに連れて、深さが大きくなる。
【００４６】
第３方向Ｚに平行な、第１支持面２６と第１位置決め底面３５との間の距離Ｌ１は、光学シート体４の厚みＴ２に略等しく選ばれる。光学シート体４の厚みＴ２は、たとえば０．１ミリメートル程度である。第３方向Ｚに平行な、第１支持面２６と第１位置決め底面３５との間の距離Ｌ１を、光学シート体４の厚みＴ２に略等しく選ぶことによって、光学シート体４と、第１支持面２６に支持される液晶表示素子２とを可及的近接して配置することができる。これによって、光学シート体４が撓みによって、浮いてしまうことが防止され、表示特性が劣化してしまうことが防止される。
【００４７】
長辺側第１枠体部分１４は、第３方向一方Ｚ１に第１表示側端面５１を有する。第１表示側端面５１は、平面であり、第３方向Ｚに垂直である。前記第１〜第４内側壁面３１〜３４は、第１表示側端面５１に連なる。第１表示側端面５１は、ホルダ１に液晶表示素子２を保持させたときに、液晶表示素子２の厚み方向一表面２Ａよりも第３方向一方Ｚ１寄りとなるように形成される。
【００４８】
長辺側第１枠体部分１４は、さらに反射シート体５を支持する第１反射シート支持面５２と、第１反射シート規制面５３とを有する。第１反射シート支持面５２は、平面であり、第１突出壁面２５の第３方向Ｚの他端から、第２方向一方Ｙ１に連なる。第１反射シート支持面５２は、第３方向Ｚに垂直である。第３方向Ｚに平行な、第１反射シート支持面５２と第１支持面２６との距離Ｌ２は、導光板３の厚みと略等しく選ばれる。
【００４９】
第１反射シート規制面５３は、第１反射シート支持面５２の第２方向Ｙの一端から、第３方向他方Ｚ２に連なる。第１反射シート規制面５３は平面であり、第２方向Ｙに垂直である。第１反射シート規制面５３に、導光板３の厚み方向他表面側に配置される反射シート体５が当接することによって、第２方向一方Ｙ１への反射シート体５の移動が規制される。
【００５０】
長辺側第１枠体部分１４は、さらに第３方向他方Ｚ２に第１背後側端面５４を有する。第１背後側端面５４は、平面であり、第３方向Ｚに垂直である。第３方向Ｚに平行な、第１反射シート支持面５２と第１背後側端面５４との距離Ｌ３は、反射シート体５の厚みに略等しく選ばれる。
【００５１】
第１凹所２２は、長辺側第１枠体部分１４の内側突出部１９Ａの第２方向Ｙの他端部１９Ａｙｂで、第３方向Ｚの一端部１９Ａｚａに形成される。第２および第３凹所２４は、長辺側第１枠体部分１４の内側突出部１９の第２方向Ｙの他端部１９Ａｙｂで、第３方向Ｚの他端部１９Ａｚｂに形成される。
【００５２】
前述した第１テープ貼り付け面２７が、第１支持面２６に対して傾斜する所定の角度θ１は、たとえば５度（°）〜４５度（°）に選ばれ、第１位置決め側面の第３方向Ｚの寸法をＴ１とし、光学シート体４の厚みをＴ２とすると、Ｔ１＝（Ｔ２＋所定の厚みＴ３）に選ばれる。前記所定の厚みＴ３は、０．１５ミリメートル（ｍｍ）〜０．２ミリメートル（ｍｍ）に選ばれる。前記所定の角度θ１を前記範囲とすることによって、光学シート体４の位置ずれを防止するために、第１テープ貼り付け面２７の第２方向Ｙの寸法を可及的小さくして、小形に形成することができ、かつ傾斜角度が小さいので、後述するテープ体５５を第１支持面２６および第１テープ貼り付け面２７にわたって密着させて貼り付けることができる。
【００５３】
再び図１〜図３を参照して説明する。長辺側第２枠体部分１５は、その第１方向Ｘの一端部１５ｘａに、図１の紙面に垂直な方向手前である背後側、すなわち第３方向他方Ｚ２に突出する第３係合片９が一体的に形成され、第１方向Ｘの他端部１５ｘｂには第４係合片１０が前記背後側に突出して一体的に形成される。またこの長辺側第２枠体部分１５の第１方向Ｘの他端部１５ｘｂ寄りには、前記第４係合片１０に隣接して外側方、すなわち第２方向一方Ｙに突出する第１位置決め突部１１が一体的に形成され、この第１位置決め突部１１よりも第１方向一方Ｘ１寄りには、第２位置決め凹所５６が形成され、さらに第２位置決め凹所５６よりも第１方向一方Ｘ１寄りには第４凹所８５が形成される。またこの長辺側第２枠体部分１５の第１方向Ｘの一端部１５ｘａ寄りには、前記第３係合片９に隣接して、第５凹所８６が形成される。またこの長辺側第２枠体部分１５の第３方向Ｚの他端部１５ｘｂ寄りには、第１位置決め突部１１に隣接して第６凹所８７が形成される。前記第２位置決め凹所５６は、長辺側第１枠体部分１４の第１方向Ｘの中央よりも、第１方向他方Ｘ２寄りに形成される。第１位置決め突部１１には、第３方向他方Ｚ２に突出する突部１１Ａが形成される。
【００５４】
図８は、第２位置決め凹所５６の付近を拡大して示す斜視図であり、図９は図８の切断面線ＩＸ−ＩＸから見た断面図であり、図１０は図８の切断面線Ｘ−Ｘから見た断面図であり、図１１は、第２位置決め凹所５６の近傍を拡大して示す平面図である。
【００５５】
長辺側第２枠体部分１５は、第２突出壁面５８と、第２支持面５８と、第２テープ貼り付け面５９と、第１１〜第１５内側壁面６１〜６５と、第２位置決め底面６５と、第１１〜第１７位置決め側面７１〜７７とを有する。
【００５６】
第２突出壁面５８は、平面であり、第２方向Ｙに垂直であって長辺側第１枠体部分１４に対向する。第２突出壁面５８は、ホルダ１に導光板３を保持させたときに、保持される導光板３の側面に対向する。
【００５７】
第２支持面５８は、平面であり、第２突出壁面５７の第３方向Ｚの一端から第２方向他方Ｙ２に連なる。第２支持面５８は、第３方向Ｚに垂直であって、液晶表示素子２の厚み方向の他表面２Ｂの周縁部２８を支持する。
【００５８】
第２テープ貼り付け面５９は、平面であり、第２支持面５８の外側、つまり第２方向他方Ｙ２で第２支持面５８に連なり、第２支持面５８から外側に向かうに連れて、言い換えれば第２方向他方Ｙ２に向かうに連れて、第２支持面５８から離反するように、言い換えれば第３方向一方Ｚ１に傾斜する。第２テープ貼り付け面５９は、第１支持面２６に対して、所定の角度θ２で傾斜する。
【００５９】
第１１内側壁面６１は、長辺側第２枠体部分１５の第１方向Ｘの両端部間の中間部で、第２支持面５８の第２方向Ｙの他端に連なる。第１１内側壁面６１は、平面である。第２方向Ｙに垂直であって、第２テープ貼り付け面５９の第２方向一方Ｙ１の端部よりもＹ方向一方Ｙ１に突出する。第１１内側壁面６１は、第２位置決め凹所５６の第１方向一方Ｘ１寄りに形成される。
【００６０】
第１２内側壁面６２は、平面であり、第２方向Ｙに垂直であって、第２テープ貼り付け面５９の第２方向Ｙの一端に連なり、長辺側第１枠体部分１４に対向する。第１２内側壁面６２は、第１１内側壁面６１よりも第２方向他方Ｙ２に退避する。第１３内側壁面６３は、平面であり、第１方向Ｘに垂直であって、第２テープ貼り付け面５９の第１方向Ｘの他端および第１２内側壁面６２の第１方向Ｘの他端に連なる。第１４内側壁面６４は、平面であり、第１方向Ｘに垂直であって、第２テープ貼り付け面５９の第１方向Ｘの一端および第２内側壁面３２の第１方向Ｘの一端に連なる。第１３内側壁面６３および第１４内側壁面６４は、互いに対向する。
【００６１】
第１５内側壁面６５は、平面であり、長辺側第２枠体部分１５の第１方向Ｘの両端部間の中間部で、第２支持面５８の第２方向Ｙの他端に連なり、第２方向Ｙに垂直であって、第２テープ貼り付け面５９の第２方向一方Ｙ１の端部よりも第２方向一方Ｙ１に突出する。第１５内側壁面６５は、第２位置決め凹所５６の第１方向他方Ｘ２寄りに形成される。第１１および第１５内側壁面６１，６５は、略同一仮想平面に含まれる。保持される液晶表示素子２の側面が、第１１および第１５内側壁面６１，６５に当接することによって、液晶表示素子２の第２方向他方Ｙ２への移動が規制される。長辺側第２枠体部分１５の外周壁部１８の第１方向Ｘの両端部は、第１１および第１５内週壁面６１，６５よりも第２方向一方Ｙ１に退避している。これによって、ホルダ１に液晶表示素子２を保持させたときに、液晶表示素子２の角部ではなく、側部の中間部を側方から支持することができるので、前記角部の欠けを防止することができる。また平面を当接させて液晶表示素子２を保持することによって、液晶表示素子２を安定して保持することができる。
【００６２】
第２位置決め底面６５は、平面であって、第２支持面５８よりも第３方向他方Ｚ２に退避し、第３方向Ｚに垂直である。第２位置決め底面６５は、第２突出壁面５８の第３方向Ｚの一端から、第２方向一方Ｙ１に連なる。第２位置決め底面６５と、第１位置決め底面３５とは略同一仮想平面に含まれる。
【００６３】
第１１位置決め側面７１は、平面であって、第２位置決め底面６５の第２方向Ｙの他端から第３方向一方Ｚ１に連なる。第１１位置決め側面７１は、第２方向Ｙに垂直である。第１１位置決め側面７１の第３方向Ｚの一端は、第２テープ貼り付け面５９に連なる。第１１位置決め側面７１に、光学シート体４の一部が当接することによって、光学シート体４の第２方向他方Ｙ２への移動が規制される。
【００６４】
第１２位置決め側面７２は、平面であって、第２位置決め底面６５の第１方向Ｘの他端から、第３方向一方Ｚ１に連なる。第１２位置決め側面７２は、第１方向Ｘに垂直である。第１２位置決め側面７２の第３方向Ｚの一端は、第２テープ貼り付け面５９に連なる。
【００６５】
第１３位置決め側面７３は、平面であって、第２位置決め底面６５の第１方向Ｘの他端から、第３方向一方Ｚ１に連なる。第１３位置決め側面７３は、第１方向Ｘに垂直である。第１３位置決め側面７３の第３方向Ｚの一端は、第２支持面５８に連なる。第１３位置決め側面７３と、第１２位置決め側面７２とは、略同一仮想平面に含まれる。第１３位置決め側面７３は、第１２位置決め側面７２の第２方向Ｙの一端に連なる。第１３位置決め側面７３は、第２方向他方Ｙ２に向かうに連れて、第３方向Ｚの寸法が大きくなる。第１２および第１３位置決め側面７２，７３に光学シート体４の一部が当接することによって、光学シート体４の第１方向他方Ｘ２への移動が規制される。
【００６６】
第１４位置決め側面７４は、第１３位置決め側面７３に連なり、第１３位置決め側面７３の第２方向一端から第２方向一方Ｙ１に向かうに連れて、第１方向他方Ｘ２に屈曲する外方に凸の曲面である。第１４位置決め側面７４は、第２位置決め底面６５の第１方向Ｘの他端から第３方向一方Ｚ１に連なる。第１４位置決め側面７４の第３方向Ｚの一端は、第２支持面５８に連なる。また第１４位置決め側面７４の第２方向Ｙの一端は、第２突出壁面５８に連なる。第１４位置決め側面７４の曲面は、所定の曲率Ｒ３を有する。前記曲率Ｒ３は、たとえばＲ０．２ｍｍ〜Ｒ１ｍｍとなるように選ばれる。
【００６７】
第１５位置決め側面７５は、平面であって、第２位置決め底面６５の第１方向Ｘの一端から第３方向一方Ｚ１に連なる。第１５位置決め側面７５は、第１方向Ｘに垂直である。第１５位置決め側面７５の第３方向Ｚの一端は、第２テープ貼り付け面５９に連なる。第１５位置決め側面７５は、外方、すなわち第２方向他方Ｙ２に向かうに連れて、第３方向Ｚの寸法が大きくなる。
【００６８】
第１６位置決め側面７６は、平面であって、第２位置決め底面６５の第１方向Ｘの一端から第３方向一方Ｚ１に連なる。第１６位置決め側面７６は、第１方向Ｘに垂直である。第１６位置決め側面７６の第３方向Ｚの一端は、第２支持面５８に連なる。第１５位置決め側面７５と、第１６位置決め側面７６とは、略同一仮想平面に含まれる。第１６位置決め側面７６は、第１５位置決め側面７５の第２方向Ｙの一端に連なる。第１５および第１６位置決め側面７５，７６に光学シート体４の一部が当接することによって、光学シート体４の第１方向一方Ｘ１への移動が規制される。
【００６９】
第１７位置決め側面７７は、第１６位置決め側面７６に連なり、第１６位置決め側面７６の第２方向Ｙの一端から第２方向一方Ｙ１に向かうに連れて、第１方向一方Ｘ１に屈曲する外方に凸の曲面である。第１７位置決め側面７７は、第２位置決め底面６５の第１方向Ｘの一端から第３方向一方Ｚ１に連なる。第１７位置決め側面７７の第３方向Ｚの一端は、第２支持面５８に連なる。また第１７位置決め側面７７の第２方向Ｙの一端は、第２突出壁面５８に連なる。第１７位置決め側面７７の曲面は、所定の曲率Ｒ４を有する。前記曲率Ｒ４は、たとえばＲ０．２ｍｍ〜Ｒ１ｍｍとなるように選ばれる。
【００７０】
前述した前記第１２〜第１４内側壁面６２〜６４、第２テープ貼り付け面５９、第２位置決め底面６５、第１１〜第１７位置決め側面７７によって、第２位置決め凹所５６が規定される。また第２位置決め底面６５、第１１〜第１７位置決め側面７１〜７７によって、光学シート体４の一部が嵌合される第２嵌合凹所７８が規定される。第２嵌合凹所７８のうち、第２位置決め底面６５、第１１，第１２および第１５位置決め側面６１，６２，６５によって規定される領域では、第２方向一方Ｙ１に向かうに連れて、深さが大きくなる。前述した第１位置決め凹所２１と第２位置決め凹所５６とは略同様である。
【００７１】
第３方向Ｚに平行な、第２支持面５８と第２位置決め底面６５との間の距離Ｌ４は、光学シート体４の厚みＴ２に略等しく選ばれる。
【００７２】
長辺側第２枠体部分１５は、第３方向一方Ｚ１に第２表示側端面８１を有する。第２表示側端面８１は、平面であり、第３方向Ｚに垂直である。前記第１１〜第１５内側壁面６１〜６５は、第２表示側端面８１に連なる。第２表示側端面８１は、第１表示側端面５１と略同一仮想平面に含まれる。第２表示側端面８１は、第１表示側端面５１と略同一仮想平面に含まれるように形成される。
【００７３】
長辺側第２枠体部分１５は、さらに反射シート体５を支持する第２反射シート支持面８２と、第２反射シート規制面８３とを有する。第２反射シート支持面８２は、平面であり、第２突出壁面５８の第３方向Ｚの他端から、第２方向他方Ｙ２に連なる。第２反射シート支持面８２は、第３方向Ｚに垂直である。第３方向に平行な、第２反射シート支持面８２と第２支持面５８との距離Ｌ５は、導光板３の厚みと略等しく選ばれる。第１反射シート支持面５２と第２反射シート支持面８２とは、略同一仮想平面に含まれる。
【００７４】
第２反射シート規制面８３は、第２反射シート支持面８２の第２方向Ｙの他端から、第３方向他方Ｚ２に連なる。第２反射シート規制面８３は平面であり、第２方向Ｙに垂直である。第２反射シート規制面８３に、導光板３の厚み方向他表面側に配置される反射シート体５が当接することによって、第２方向他方Ｙ２への反射シート体５の移動が規制される。
【００７５】
長辺側第１枠体部分１４は、第３方向他方Ｚ２に第２背後側端面８４を有する。第２背後側端面８４は、平面であり、第３方向Ｚに垂直である。第２反射シート支持面８２と、第２背後側端面８４との距離Ｌ６は、反射シート体５の厚みに等しく選ばれる。第１背後側端面５４と第２背後側端面８４とは、略同一仮想平面に含まれる。
【００７６】
第４凹所８５は、長辺側第２枠体部分１５の内側突出部１９Ｂの第２方向Ｙの一端部１９Ｂｙａで、第３方向Ｚの一端部１９Ｂｚａに形成される。第５および第６凹所８６，８７は、長辺側第２枠体部分１５の内側突出部１９Ｂの第２方向Ｙの一端部１９Ｂｙａで、第３方向Ｚの他端部１９Ｂｚｂに形成される。
【００７７】
前述した第２テープ貼り付け面５９が、第２支持面５８に対して傾斜する所定の角度θ２は、たとえば５度（°）〜４５度（°）に選ばれ、第１１位置決め側面７１の第３方向Ｚの寸法をＴ４とし、光学シート体４の厚みをＴ２とすると、Ｔ４＝（Ｔ２＋所定の厚みＴ３）に選ばれる。前記所定の厚みＴ３は前述したとおりである。前記所定の角度θ２を前記範囲とすることによって、光学シート体４の位置ずれを防止するために、第２テープ貼り付け面５９の第２方向Ｙの寸法を可及的小さくして、かつ後述するテープ体５５を第２支持面５８および第２テープ貼り付け面５９にわたって密着させて貼り付けることができる。
【００７８】
再び図１〜図３を参照して説明する。短辺側第１枠体部分１６は、その第１方向Ｘの一端部１６ｘａに、第１方向一方Ｘ１に突出する位置決め枠体２０が一体的に形成される。位置決め枠体２０には、第３方向Ｚに貫通する貫通孔８８が形成されている。この貫通孔８８をたとえば、たとえばホルダ１が搭載される電子機器の筐体および筐体の内部空間に配置される基板などに設けられる突部に嵌合させることによって、筐体および基板などに対して保持装置を位置決めすることができる。位置決め枠体２０の第１方向Ｘの一端部２０ｘａには、第１方向一方Ｘ１に突出する第２位置決め突部１２が一体的に形成される。第２位置決め突部１２は、短辺側第１枠体部分１６の第２方向Ｙの中央に形成される。
【００７９】
短辺側第１枠体部分１６は、第３および第４突出壁面９１，９２と、第３支持面９３と、第２１および第２２内側壁面９５とを有する。第３突出壁面９１は、短辺側第１枠体部分１６の第２方向一方Ｙ１寄りに形成され、第１方向Ｘに垂直であって、第１突出壁面２５に連なる。第３突出壁面９１は、平面である。第４突出壁面９２は、短辺側第１枠体部分１６の第２方向一方Ｙ２寄りに形成され、第１方向Ｘに垂直であって、第２突出壁面５７に連なる。第４突出壁面９２は、平面である。第３および第４突出壁面９１，９２は、略同一仮想平面に含まれる。短辺側第１枠体部分１６の内側突出部１９の第２方向Ｙの中間部は、第３および第４突出壁面９１，９２よりも第１方向一方Ｘ１に退避して形成される。保持される導光板３が、第３および第４突出壁面９１，９２に当接することによって、導光板３の第１方向一方Ｘ１への移動を規制することができる。
【００８０】
第３支持面９３は、平面であり、第３方向Ｚに垂直であって、第３および第４突出壁面９２の第３方向Ｚの一端から、第１方向一方Ｘ１に延び、液晶表示素子２の厚み方向の他表面２Ｂの周縁部２８を支持する。第３支持面９３は、第１支持面２６および第２支持面５８に連なる。第１〜第３支持面２６，５８，９３は、略同一仮想平面に含まれる。
【００８１】
第２１内側壁面９４は、短辺側第１枠体部分１６の第２方向Ｙの一端部１６ｙａ寄りに形成され、第３支持面９３に連なる。第２１内側壁面９４は、平面であり、第１方向Ｘに垂直である。
【００８２】
第２２内側壁面９５は、短辺側第１枠体部分１６の第２方向Ｙの他端部１６ｙｂ寄りに形成され、第３支持面９３に連なる。第２２内側壁面９５は、平面であり、第１方向Ｘに垂直である。第２１および第２２内側壁面９４，９５は、略同一仮想平面に含まれる。第２１および第２２内側壁面９４，９５に、液晶表示素子２の側面が当接することによって、液晶表示素子２の第１方向Ｘの一方への移動を規制することができる。短辺側第１枠体部分１６の外周壁部１８の第２方向Ｙの中央部と、両端部とは、第２１および第２２内側壁面９５よりも第１方向一方Ｘ１に退避して形成される。これによって、液晶表示素子２を保持したときに、液晶表示素子２の角部ではなく、側部の中間部を側方から支持することができるので、前記角部の欠けを防止することができる。また平面を当接させて液晶表示素子２を保持することによって、液晶表示素子２を安定して保持することができる。
【００８３】
短辺側第１枠体部分１６は、さらに第３方向一方Ｚ１に第３表示側端面９６を有する。第３表示側端面９６は、平面であり、第３方向Ｚに垂直である。前記第２１および第２２内側壁面９４，９５は、第３表示側端面９６に連なる。第１〜第３表示側端面５１，８１，９６は、略同一仮想平面に含まれる。
【００８４】
短辺側第１枠体部分１６は、さらに反射シート体５を支持する第３反射シート支持面９７と、第３反射シート規制面９８とを有する。第３反射シート支持面９７は、平面であり、第３および第４突出壁面９２の第３方向Ｚの他端から第１方向一方Ｘ１に連なる。第３反射シート支持面９７は、第３方向Ｚに垂直である。第３反射シート支持面９７と、第３支持面９３との距離は、導光板３の厚みと略等しく選ばれる。第１〜第３反射シート支持面５２，８２，９７は、略同一仮想平面に含まれる。
【００８５】
第３反射シート規制面９８は、第３反射シート支持面９７の第１方向Ｘの一端から、第３方向他方Ｚ２に連なる。第３反射シート規制面９８は平面であり、第１方向Ｘに垂直である。第３反射シート規制面９８に、導光板３の厚み方向他表面側に配置される反射シート体５が当接することによって、第１方向一方Ｘ１への反射シート体５の移動が規制される。
【００８６】
短辺側第１枠体部分１４は、さらに第３方向他方Ｚ２に第３背後側端面９９を有する。第３背後側端面９９は、平面であり、第３方向Ｚに垂直である。第３反射シート支持面９７と、第３背後側端面９９との距離は、反射シート体５の厚みに等しく選ばれる。第１〜第３背後側端面５４，８４，９９は、略同一仮想平面に含まれる。
【００８７】
短辺側第２枠体部分１７の第２方向一方Ｙ１寄りには、第３位置決め突部１３が第１方向他方Ｘ２に突出して、一体的に形成される。
【００８８】
短辺側第２枠体部分１７の第３方向Ｚの他端部１７ｚｂには、ホルダ１に導光板３を保持させたときに、この導光板３の側部の端面に、たとえば発光ダイオード（Light
Emitting Diode：略称ＬＥＤ）および冷陰極線管などの光源からの照明光を入射させるための導光凹所１０８が形成される。導光凹所１０８は、第２方向Ｙに所定の間隔をあけて形成される。またホルダ１に液晶表示素子２を保持させたときに、液晶表示素子２に接続されるフレキシブルプリント配線基板１００の引き出すために、この液晶表示素子２の側面に臨む短辺側第２枠体部分１７の外周壁部１８の一部は切り欠かれている。
【００８９】
短辺側第２枠体部分１７は、第５突出壁面１０１と、第４支持面１０２と、第３１および第３２内側壁面１０３，１０４とを有する。
【００９０】
第５突出壁面１０１は、平面であって、短辺側第２枠体部分１７の内側突出部１９Ｄの第３方向Ｚの他端部１９Ｄｚｂに形成され、第３方向Ｚに垂直である。第５突出壁面１０１には、ホルダ１に導光板３を保持させたときに、この導光板３の厚み方向一表面、すなわち第３方向Ｚの一表面の周縁部が当接する。第５突出壁面１０１は、第１〜第３反射シート支持面５２，８２，９７よりも第３方向一方Ｚ１に退避して形成される。第５突出壁面１０１に導光板３が当接することによって、導光板３の第３方向一方Ｚ１への移動を規制することができる。
【００９１】
短辺側第１支持部１６の内側突出部１９Ｄの第３方向Ｚの一端部１６ｚａには、第４支持面１０２が形成される。第４支持面１０２は、平面であり、第３方向Ｚに垂直であって、液晶表示素子２の厚み方向の他表面２Ｂの周縁部２８を支持する。
【００９２】
第３１内側壁面１０３は、短辺側第２枠体部分１７の第２方向Ｙの一端部１７ｙａ寄りに形成され、第４支持面１０２に連なる。第３１内側壁面１０３は、平面であり、第１方向Ｘに垂直である。
【００９３】
第３２内側壁面１０４は、短辺側第２枠体部分１７の第２方向Ｙの他端部１７ｙｂ寄りに形成され、第４支持面１０２に連なる。第３２内側壁面１０４は、平面であり、第１方向Ｘに垂直である。第３１および第３２内側壁面１０４は、略同一仮想平面に含まれる。ホルダ１に液晶表示素子２を保持させたときに、第３１および第３２内側壁面１０３，１０４に、液晶表示素子２の側面が当接することによって、液晶表示素子２の第１方向他方Ｘ２への移動を規制することができる。短辺側第２枠体部分１７の外周壁部１８両端部は、第３１および第３２内側壁面１０４よりも第１方向他方Ｘ２に退避して形成される。これによって、液晶表示素子２を保持したときに、液晶表示素子２の角部ではなく、側部の中間部を側方から支持することができるので、前記角部の欠けを防止することができる。また平面を当接させて液晶表示素子２を保持することによって、液晶表示素子２を安定して保持することができる。
【００９４】
図１２は、短辺側第２枠部分１７の一部を第３方向他方側から見て示す斜視図である。短辺側第２枠体部分１７は、第３方向Ｚの他端部１７ｚｂに、第２方向Ｙに延びる支持部本体部分１０５と、支持本体部分１０５から第２方向Ｙに間隔をあけて内側に突出する仕切り部１０６とを有する。仕切り部１０６は、直方体形状であって、内方側の端面１０７は、略同一仮想平面上に形成され、ホルダ１の導光板３を保持させたときに、導光板３の側面に当接する。各仕切り部１０６および支持部本体部分１０５によって囲まれる領域が導光凹所１０８である。前記内方側の端面１０７は、第１方向Ｘに垂直であり、第５突出壁面１０５に連なる。
【００９５】
図１３は、図２の切断面線ＸＩＩＩ−ＸＩＩＩから見た切断端面図である。第１係合片７は、長辺側第１枠体部分１４の第３方向Ｚの一端部１４ｚａから第２方向一方Ｙ１に突出し延び、さらに第３方向他方Ｚ２に屈曲する。第１係合片７の遊端部１０９には、第２方向他方Ｙ２に突出する爪部が形成される。第１係合片７の遊端部１０９は、枠体６の第３方向Ｚの端部よりも、第３方向一方Ｚ２に延びる。第１係合片７は、第２方向Ｙに弾性変形によって変位可能であり、たとえばホルダ１が搭載される電子機器の筐体および筐体の内部空間に配置される基板などに設けられる係合部１１１の係合孔１１２に係合して係止される。第２〜第４係合片８〜１０は、第１係合片７と同様な形状である。このような第１〜第４係合片７〜１０を有することによって、ホルダ１が搭載される携帯電話装置などの電子機器への着脱が容易となる。第１〜第４係合片７〜１０の第２方向Ｙに延びる部分には、第３方向Ｚに貫通する孔が形成されている。
【００９６】
図１４は、導光板３を示す正面図である。導光板３は、略矩形板形状を有する。導光板３は、矩形板形状を有する導光板本体１１５と、導光板本体１１５の長手方向に延びる一側部１１５Ａから突出し、前述したホルダ１の第１〜第３凹所２２〜２４にそれぞれ嵌合される第１〜第３導光板突部１１６〜１１８と、導光板本体１１５の長手方向に延びる他側部１１５Ｂから突出し、前述したホルダ１の第４〜第６凹所８５〜８７にそれぞれ嵌合される第４〜第６導光板突部１１９〜１２１を有する。第１および第４導光板突部１１６，１１９は、導光板３の厚み方向一端部３ａに形成され、第２、第３、第５および第６導光板突部１１７，１１８，１２０，１２１は、導光板３の厚み方向他端部３ｂに形成される。また第１〜第６導光板突出部１１６〜１２１を除く導光板本体１１５の短手方向の寸法Ｌ７は、第２方向Ｙにおける第１突出壁面２５と第２突出壁面５８との間の距離Ｌ８と略等しく選ばれる。また導光板３の長手方向の寸法Ｌ９は、第１方向Ｘにおける、第３および第４突出壁面９２と仕切り部１０６の内方側の端面１０７との間の距離Ｌ１０と略等しく選ばれる。
【００９７】
導光板３は、長手方向の端面から入射する光源からの照明光を、厚み方向一表面３Ａおよび他端面３Ｂとの間で繰り返し反射させて伝搬し、この厚み方向一表面３Ａおよび他表面３Ｂにおける反射の際に、臨界角以下の成分を一表面３Ａおよび他表面３Ｂより出射する。導光板３は、他表面３Ｂが部分的に粗面に形成され、この粗面によって内部を伝搬する照明光が散乱されて、一表面３Ａ側からの出射が促される。導光板３は、単位面積あたりの粗面の面積が調整され、これによって一表面３Ａ側に出射される照明光の光量分布が均一化される。
【００９８】
図１５は、光学シート体４の平面図である。光学シート体４は、略矩形板形状を有する。
【００９９】
本実施の形態では、光学シート体４は、複数枚、具体的には３枚のシート体が積層されている。３枚のシート体は、厚みが異なるが、その他の形状は等しい。光学シート体４の周縁部１２９には、略矩形板状の第１シート体突部１２４および第２シート体突部１２５が形成される。第１シート体突部１２４は、矩形板形状のシート体本体１２６の長手方向に延びる一側部の、長手方向一端部１２７から外方に突出し、第２シート体突部１２５は、矩形板形状のシート体本体１２６の長手方向に延びる他側部の長手方向他端部１２８寄りで外方に突出する。
【０１００】
前記光学シート体４は、拡散シート体１３１、第１および第２集光シート体１３２，２３３を含む。拡散シート体１３１は、光拡散性を有するポリエチレンテレフタレート樹脂（PolyEthylene Terephthalate resin：略称ＰＥＴ）によって形成され、導光板３から出射される照明光を散乱させることによって、導光板３の裏面に形成された粗面、および導光板３のエッジなどを知覚困難にする。第１および第２集光シート体１３２，１３３は、プリズムシートであって、拡散シート体１３１を透過した透過光の指向性を補正する。第１および第２集光シート体１３２，１３３は、たとえばポリカーボネートによって形成される。第１および第２集光シート体１３２，１３３は、厚み方向一表面に、プリズム面が形成されてなる。このプリズム面は、一方向に延びる断面三角形形状の突起が繰り返されることによって形成され、第１集光シート体１３２では突起が、短手方向に延びるように、また第２集光シート体１３３では突起が短手方向と直交する長手方向に延びるように形成される。ここでは光学シート体４は、２つの第１および第２集光シート体１３２，１３３を含むが、これら２つの集光シートの機能を有する１つの集光シートを含む構成としてもよい。
【０１０１】
拡散シート体１３１の厚みは、たとえば３０μｍ〜１００μｍに選ばれ、第１集光シート体１３２の厚みは、たとえば３０μｍ〜２００μｍに選ばれ、第２集光シート体の厚み１３３は、たとえば３０μｍ〜２００μｍに選ばれる。
【０１０２】
第１シート突出部１２４の長手方向の寸法Ｌ１１は、第１方向Ｘにおける、第２および第３位置決め側面４２，４３と第５および第６位置決め側面４５，４６との間の距離Ｌ１２よりもわずかに小さく形成される。第１シート突出部１２４の短手方向の寸法Ｌ１３は、第２方向Ｙにおける、第１位置決め側面４１と第１突出壁面２５との間の距離Ｌ１４よりもわずかに大きく形成される。
【０１０３】
第２シート突出部の長手方向の寸法Ｌ１５は、第１方向Ｘにおける第１２および第１３位置決め側面７２，７３と第１５および第１６位置決め側面７５，７６との間の距離Ｌ１６よりもわずかに小さく形成される。第２シート突出部１２５の短手方向の寸法Ｌ１７は、第２方向Ｙにおける、第１位置決め側面７１と第２突出壁面５８との間の距離Ｌ１８よりもわずかに大きく形成される。
【０１０４】
光学シート体本体１２６は、液晶表示素子２の表示領域１３４（図１６参照）よりもわずかに大きく形成され、光学シート体４の長手方向の寸法Ｌ１９および短手方向の寸法Ｌ２０は、液晶表示素子２の表示領域１３４の長手方向の寸法Ｌ２１および短手方向の寸法Ｌ２２に対して、それぞれ０．６〜１．０ミリメートル以内の寸法差で形成される。
【０１０５】
前述したホルダ１は、耐熱性および耐候性を有する合成樹脂材料、たとえばアクロニトリル・ブタジエン・スチレン（略称ＡＢＳ）およびポリカーボネートなどによって形成される。このような合成樹脂材料によって、ホルダ１を形成することによって、ホルダ１を形成するときの寸法誤さを可及的低減することができ、また液晶表示素子２および光源からの光によってホルダ１の温度が上昇しても、ホルダ１は液晶表示素子２を精度よく保持することができる。前述した第１〜第４支持面２６，５７，９３，１０２が形成される領域が支持領域であり、各支持面の外方に形成される領域が外側領域である。またホルダ１は、白色の樹脂材料によって形成される。これによって、導光板３からの光を反射して、光の利用効率を高めることができる。
【０１０６】
図１６は、導光板３、光学シート体４、液晶表示素子２および反射シート体５を、ホルダ１に取り付けた状態を示す正面図であり、図１７は図１６の切断面線ＸＶＩＩ−ＸＶＩＩから見た切断端面図であり、図１８は図１６の切断面線ＸＶＩＩＩ−ＸＶＩＩＩから見た切断端面図である。また図１９は、図１７において第１位置決め凹所２１付近を拡大して示す拡大切断端面図である。また図２０は、図１８において第１位置決め凹所２１付近を拡大して示す拡大切断端面図である。図２１は、テープ体５５の貼り付け領域を示す正面図である。なお図１６において、斜線部は、液晶表示素子２の表示領域１３４を示している。液晶表示素子２には、この液晶表示素子２の画素電極に信号を与えるための配線が形成されるフレキシブルプリント配線基板１００が接続されている。フレキシブルプリント配線基板１００は、短辺側第２枠体部分１７の外周壁部１８Ｄに形成される切欠き２０１からホルダ１の外方に延びる。
【０１０７】
導光板３、光学シート体４、液晶表示素子２および反射シート体５をホルダ１に取り付ける製造工程では、まず前記導光板３を、第３方向他方Ｚ３側からホルダ１に取り付け、導光板３の第１〜第６導光板突出部１１６〜１２１を第１〜第６凹所２２〜２４，８５〜８７に嵌合させる。これによって、導光板３がホルダ１に保持される。導光板３を保持した状態で、導光板３の厚み方向一表面３Ａと第１および第２位置決め底面３５，６５とは略同一仮想平面に含まれる。次にホルダ１の第３方向一方Ｚ１側から、導光板３の厚み方向一表面３Ａ、すなわち第３方向一方Ｚ１の表面に光学シート体４を積層する。これによって、光学シート体４の第１シート突出部１２４が第１位置決め凹所２１に嵌合され、光学シート体４の第２シート突出部１２５が第２位置決め凹所５６に嵌合されて、光学シート体４が位置決めされる。
【０１０８】
次に、光学シート体４の周縁部と、ホルダ１とを、遮光性を有し接着性を有するテープ体５５によって固定する。テープ体５５は、光学シート体４と、ホルダ１との間隙を覆うように接着される。テープ体５５は、その内周部１３６が、図２１に示すように光学シート体本体１２６の周縁部１４１の所定の領域を覆うように接着され、その外周部１３７は、第１〜第４支持面２６，５７，９３，１０２および第１および第２テープ体張り付け面２７，５９に接着される。
【０１０９】
テープ体５５は、枠状に形成される。テープ体５５は、所定の厚みＴ５を有する。前記所定の厚みＴ５は、たとえば５０〜８０マイクロメートル（μｍ）である。テープ体５５は、たとえばシート状基材の厚み方向の両面に接着材料を接着して形成される。第１〜第４支持面２６，５７，９３，１０２に接着されるテープ体５５の厚みは均一である。
【０１１０】
またテープ体５５の内周端間の長手方向の寸法Ｌ２３および短手方向の寸法Ｌ２４は、前述した表示領域１３４の長手方向の寸法Ｌ２１および短手方向の寸法Ｌ２２と略等しく選ばれる。これによって、拡散シート体１３１からの光を、液晶表示素子２の表示領域１３４に効率よく入射させることができる。
【０１１１】
テープ体５５は、光学シート体４に接着される面側から入射する光を反射するように構成される。たとえばテープ体５５のテープ基材の光学シート体４に貼り付ける側を白色にする。これによって、導光板３から光学シート体に入射する光を、導光板３に反射して再び導光板３に入射させることができるので、光の利用効率をさらに向上させることができる。
【０１１２】
またテープ体５５の基材の光学シート体４とは反対側の面を、たとえば黒色にする。これによって表示領域より外で光が反射してしまうことが防止され、表示特性を向上させることができる。
【０１１３】
光学シート体４の位置ずれが発生すると、テープ体５５を貼り直す必要があり、このため作業時間が長くなってしまい、また光学シート体４が位置ずれした状態で組み立ててしまうと、表示特性が劣化してしまうと言う問題があるが、ホルダ１には、前述したように第１および第２位置決め凹所５６を形成されるので、光学シート体４をホルダ１に固定するためにテープ体５５を貼るときに、光学シート体４の厚みＴ２に対して、わずかでも第２および第５位置決め側面４２，４５ならびに第１２および第１５位置決め側面７２，７５に第１および第２シート体突部１２４，１２５が引っ掛かれば光学シート体４の位置ずれを防止することができる。テープ体５５を貼るときに、光学シート体４を押えると、光学シート体４の反りなどによって、第１および第２位置決め凹所５６から外れてしまう頻度を少なくすることができ、光学シート体４が位置ずれした状態で、製造されてしまう割合が低減され、製造工程において歩留まりを向上させることができ、生産性を向上させることができる。また第１テープ貼り付け面２７および第２テープ貼り付け面５９を前述のように形成することによって、光学シート体４を貼り付けたときに、第１支持面２６と第１テープ取り付け面２７とが連なる部分、および第２支持面５８と第２テープ取り付け面５９とが連なる部分においても、テープ体５５をホルダ１に密着させることができ、この部分からの光の漏れを確実に防止することができるとともに、テープ体５５の取り付け強度を確保することができる。
【０１１４】
また本実施の形態では、液晶表示素子２の厚み方向の他表面２Ｂと光学シート体４とを可及的近接して配置することができ、テープ体５５によって光学シート体４をホルダ１に固定すると、液晶表示素子２の厚み方向の他表面２Ｂの周縁部２８は、テープ体５５に第１〜第４支持面２６，５８，９３，１０２の内周面側の端面から幅Ｗ１の領域で周方向のほぼ全周にわたって重なる。これによって第３方向Ｚにおける液晶表示素子２と光学シートとの距離Ｌ２５は、テープ体５５の厚みＴ５とほぼ等しくすることができる。したがって、液晶表示素子２の厚み方向の他表面２Ｂを、光学シート体４に可及的近接して配置することができる。液晶表示素子２と光学シート体との距離が離反すると、熱膨張などによって光学シート体４が撓んで、液晶表示素子側に浮き上がってしまい、たとえばモアレが発生して表示特性が劣化するが、光学シート体に可及的近接して配置することで、光学シート体が浮き上がりを防止することができるので、このような表示特性の劣化を防止することができる。
【０１１５】
第１および第２位置決め凹所５６を、液晶表示素子２の対角線方向に離反して形成するので、第１および第２位置決め凹所５６が相互に可及的離反して形成される。これによって光学シート体４の厚み方向に平行な軸線まわりの捩じれによって、第１および第２位置決め凹所５６に嵌合される光学シート体４の第１および第２シート係合部にかかる負荷を可及的低減することができるので、第１および第２位置決め凹所５６から光学シート体４の一部が外れてしまうことが防止され、光学シート体４の位置ずれを効率よく防止することができる。
【０１１６】
次に、液晶表示素子２をホルダ１の第３方向一方Ｚ１側から、第１〜第４支持面２６，５７，９３，１０２積層される光学シート体４に積層する。液晶表示素子２の第３方向他方Ｚ２の表面２Ｂの周縁部２８は、テープ体５５を介して第１〜第４支持面２６，５７，９３，１０２に支持されて、固定される。液晶表示素子２は、前述した第１〜第４支持面２６，５７，９３，１０２に垂直な方向への移動が規制され、導光板３および光学シート体４との相対的な位置関係が維持される。
【０１１７】
次に、ホルダ１の第３方向他方Ｚ２側から、反射シート体５をホルダ１に取り付ける。第１および第２反射シート支持面５２，８２に両面テープ２０２を貼り付けて反射シート体を固定する。反射シート体５は、照明光を乱反射および正反射するシート材料によって形成され、導光板３の他表面３Ｂ側に漏れ出す照明光を反射して導光板３に再入射させ。これによって、照明光の利用効率を向上させることができる。反射シート体５は、導光板３の第３方向他方Ｘ２の表面３Ｂに当接して、この表面を覆う。
【０１１８】
携帯型電話装置などの電子機器に用いられる小形の液晶表示素子を保持する保持装置では、部品をできるだけ小さく形成し、これらを精密に組み上げることによって小形化を図っている。このような小形の電子機器に用いられる保持装置では、簡単な構成で、精度よく組み立てが可能なホルダが臨まれている。本発明では、第１および第２位置決め凹所２１，５６を形成するという従来の液晶表示装置のホルダと比較しても比較的簡単な構成で、光学シート体４の位置ずれを効果的に防止することができる。また前述した構成によって、組み立てられた組立体を電子機器などに搭載したときに、たとえば電子機器に不所望な衝撃が与えられたとしても、光学シート体４の液晶表示素子２および導光板３に対する相対的な位置がずれてしまうことが防止される。
【０１１９】
本実施の形態では、ホルダには２つの位置決め凹所を形成しているが、本発明の他実施の形態において、ホルダには１つの位置決め凹所が形成されていてもよく、また３つ以上の位置決め凹所が形成されていてもよい。この場合であっても、同様に、シート体の位置ずれを防止することができる。
【０１２０】
本実施の形態では、テープ体５５によって光学シート体４をホルダ１に固定しているが、本発明の他の実施の形態において、光学シート体４は、たとえばホルダ１に形成される爪部によってホルダに固定してもよい。この場合、組み立てるときに、テープ体５５を貼る工程がなくなるので、組み立ての工程数が減り、このため生産性を向上させることができる。
【０１２１】
また本実施の形態では、第１および第２テープ貼り付け面５９は、平面によって形成されるが、本発明の実施の他の形態において、第１および第２テープ貼り付け面５９は、曲面によって形成されてもよい。この場合、内方に凸の曲面であることが望ましい。このように第１および第２テープ貼り付け面２７，５９を形成すると、第１および第２支持面５８に連なって第１および第２テープ貼り付け面２７，５９に、テープ体５５を密着させることができるので、光学シート体４の密着強度を向上させ、さらに光の漏れをより効果的に防止することができる。
【０１２２】
また本発明のさらに他の実施の形態において、前述したホルダ１が有する各面は、必ずしも平面である必要はない。またホルダの構成は、本発明を逸脱しない範囲で、変更することができる。
【図面の簡単な説明】
【０１２３】
【図１】本発明の実施の一形態の保持装置であるホルダ１を示す斜視図である。
【図２】ホルダ１の正面図である。
【図３】ホルダ１の背面図である。
【図４】第１位置決め凹所２１の付近を拡大して示す斜視図である。
【図５】図４の切断面線Ｖ−Ｖから見た断面図である。
【図６】図４の切断面線ＶＩ−ＶＩから見た断面図である。
【図７】第１位置決め凹所２１の近傍を拡大して示す平面図である。
【図８】第２位置決め凹所５６の付近を拡大して示す斜視図である。
【図９】図８の切断面線ＩＸ−ＩＸから見た断面図である。
【図１０】図８の切断面線Ｘ−Ｘから見た断面図である。
【図１１】第２位置決め凹所５６の近傍を拡大して示す平面図である。
【図１２】短辺側第２枠部分１７の一部を第３方向他方側から見て示す斜視図である。
【図１３】図２の切断面線ＸＩＩＩ−ＸＩＩＩから見た切断端面図である。
【図１４】導光板３を示す正面図である。
【図１５】光学シート体４の平面図である。
【図１６】導光板３、光学シート体４、液晶表示素子２および反射シート体５を、ホルダ１に取り付けた状態を示す正面図である。
【図１７】図１６の切断面線ＸＶＩＩ−ＸＶＩＩから見た切断端面図である。
【図１８】図１６の切断面線ＸＶＩＩＩ−ＸＶＩＩＩから見た切断端面図である。
【図１９】図１７において第１位置決め凹所２１付近を拡大して示す拡大切断端面図である。
【図２０】図１８において第１位置決め凹所２１付近を拡大して示す拡大切断端面図である。
【０１２４】
【図２１】テープ体５５の貼り付け領域を示す正面図である。
【符号の説明】
【０１２５】
１  ホルダ
２１  第１位置決め凹所
５６  第２位置決め凹所
【図１】
2005292729.tif 000003
【図２】
2005292729.tif 000004
【図３】
2005292729.tif 000005
【図４】
2005292729.tif 000006
【図５】
2005292729.tif 000007
【図６】
2005292729.tif 000008
【図７】
2005292729.tif 000009
【図８】
2005292729.tif 000010
【図９】
2005292729.tif 000011
【図１０】
2005292729.tif 000012
【図１１】
2005292729.tif 000013
【図１２】
2005292729.tif 000014
【図１３】
2005292729.tif 000015
【図１４】
2005292729.tif 000016
【図１５】
2005292729.tif 000017
【図１６】
2005292729.tif 000018
【図１７】
2005292729.tif 000019
【図１８】
2005292729.tif 000020
【図１９】
2005292729.tif 000021
【図２０】
2005292729.tif 000022
【図２１】
2005292729.tif 000023